【手続補正書】
【提出日】平成16年3月12日(2004.3.12)
【手続補正１】
【補正対象書類名】明細書
【補正対象項目名】全文
【補正方法】変更
【補正の内容】
【発明の名称】コネクタソケット、小型コネクタ、及びＵＳＢコネクタのコネクタソケット
【特許請求の範囲】
【請求項１】絶縁ハウジングにより支持されたコンタクトピンを金属製のシールドケース内に有し、当該シールドケース下面側がプリント配線基板上に搭載されるようにしたコネクタソケットであって、
前記シールドケース下面と、前記コンタクトピンの接触端部との間には、前記絶縁ハウジングから延長する先端支持部が設けられている、
ことを特徴とするコネクタソケット。
【請求項２】前記コンタクトピンの接触端部の下方となる前記シールドケース底壁には、当該シールドケース底壁から切り起こされ、前記プリント配線基板にハンダ付けにより固定される固定手段が形成され、前記シールドケース底壁の前記固定手段の対応位置には開口が形成されており、
前記開口の上方には、前記絶縁ハウジングから延長する先端支持部を介して、前記コンタクトピンの接触端部が設けられている、
ことを特徴とする請求項１記載のコネクタソケット。
【請求項３】コンタクタを有するコネクタプラグが挿入された場合、そのコンタクタの接触端部の下面が、前記コンタクトピンの接触端部の上面と接触する、
ことを特徴とする請求項１記載のコネクタソケット。
【請求項４】前記シールドケース上壁には、当該シールドケース上壁を切り起し、当該シールドケース内部に突出し、コンタクタを有するコネクタプラグが挿入された場合、そのコネクタプラグの挿入部分を下方へ押す接触片が形成されている、
ことを特徴とする請求項１記載のコネクタソケット。
【請求項５】コンタクタを有するコネクタプラグと、
前記コネクタプラグが挿入された場合、前記コンタクタと接触するコンタクトピンを金属製のシールドケース内に有するコネクタソケットと、を備え、
前記コネクタソケットは、
前記コンタクトピンが前記シールドケース内に設けられた絶縁ハウジングにより支持されており、
前記シールドケース下面側がプリント配線基板上に搭載され、
前記シールドケース下面と、前記コンタクトピンの接触端部との間には、前記絶縁ハウジングから延長する先端支持部が設けられている、
ことを特徴とする小型コネクタ。
【請求項６】絶縁ハウジングにより支持されたコンタクトピンを金属製のシールドケース内に有し、当該シールドケース下面側がプリント配線基板上に搭載されるようにしたＵＳＢコネクタのコネクタソケットであって、
前記シールドケース下面と、前記コンタクトピンの接触端部との間には、前記絶縁ハウジングから延長する先端支持部が設けられている、
ことを特徴とするＵＳＢコネクタのコネクタソケット。
【請求項７】前記コンタクトピンの接触端部の下方となる前記シールドケース底壁には、当該シールドケース底壁から切り起こされ、前記プリント配線基板にハンダ付けにより固定される固定手段が形成され、前記シールドケース底壁の前記固定手段の対応位置には開口が形成されており、
前記開口の上方には、前記絶縁ハウジングから延長する先端支持部を介して、前記コンタクトピンの接触端部が設けられている、
ことを特徴とする請求項６記載のＵＳＢコネクタのコネクタソケット。
【発明の詳細な説明】
【０００１】
【発明の属する技術分野】
本発明は電気コネクタに関し、特に、パーソナルコンピュータ等の電子機器の接続に用いるコネクタソケット、小型コネクタ、及びＵＳＢコネクタのコネクタソケットに関する。
【０００２】
【背景技術】
最近、パーソナルコンピュータにおいては、ＵＳＢ（Universal Serial Bus)コネクタと称される図５に示されるような小型コネクタが用いられている。
この小型コネクタは例えばプリント配線基板１Ａ等の基板に搭載できるコネクタソケット２Ａと、このコネクタソケット２Ａに挿入接続されるコネクタプラグ３Ａとからなるもので、同コネクタソケット２Ａは金属板を角筒状に曲げ成形して構成されるシールドケース４Ａを備えている。
【０００３】
そして、同シールドケース４Ａの内部には幅方向に隣り合わされた４本のコンタクトピン５Ａを支持する絶縁ハウジング６Ａが組み込まれ、同絶縁ハウジング６Ａの基部には前記シールドケース４Ａの一端部から外部接続端５ａを導出したコンタクトピン５Ａの中間部が固定される。前記絶縁ハウジング６Ａの基部６ａには前記シールドケース４Ａの上下厚みの約半部の先端支持部６ｂが上半部に一体成形され、この先端支持部６ｂの下面に前述したコンタクトピン５Ａの接触端部５ｂが支持される。
即ち、前記先端支持部６ｂには下面側が開放された溝が形成され、各コンタクトピン５Ａの接触端部５ｂは図５の紙面と直角な方向に整列した前記溝中に組み込まれることになる。
【０００４】
したがって、前記コネクタソケット２Ａに接続されるコネクタプラグ３Ａは前記シールドケース４Ａに内挿できる角筒状のシールドケース７Ａをもち、同シールドケース７Ａのプラグ部シールド７ａの内部には前記先端支持部６ｂを受け入れる空間８Ａが形成されると共に、同空間８Ａの直下には絶縁ハウジング９Ａの先端支持部９ａで支持されるコンタクタ１０Ａの接触端部１０ａが位置される。
【０００５】
【発明が解決しようとする課題】
ところで、前述したような従来のコネクタソケット２Ａは、プリント配線基板１Ａ上に位置されて同プリント配線基板１Ａの導体（図示せず）にハンダ付けで固定されることになるけれども、同コネクタソケット２Ａのシールドケース４Ａの底壁４ａには、接触片１１Ａを形成するためのスロット１２Ａが形成されている。
したがって、プリント配線基板１Ａにコネクタソケット２Ａをハンダ付けする際、同スロット１２Ａを通ってハンダ用フラックスがシールドケース４Ａの内部に侵入し、コンタクトピン５Ａの接触端部５ｂに同フラックスが付着してコンタクタ１０Ａの接触端部１０ａとの間の接触不良の原因となる問題がある。
【０００６】
本発明の目的は、以上に述べたような従来の小型コネクタの問題に鑑み、プリント配線基板等にコネクタソケットをハンダ付けする際のフラックスが接触不良の原因とならないような構造の小型コネクタを得るにある。
【０００７】
【課題を解決するための手段】
この目的を達成するため、本発明のコネクタソケットは、絶縁ハウジングにより支持されたコンタクトピンを金属製のシールドケース内に有し、当該シールドケース下面側がプリント配線基板上に搭載されるようにしたコネクタソケットであって、前記シールドケース下面と、前記コンタクトピンの接触端部との間には、前記絶縁ハウジングから延長する先端支持部が設けられている、構成を採る。
また、本発明のコネクタソケットは、上記構成において、前記コンタクトピンの接触端部の下方となる前記シールドケース底壁には、当該シールドケース底壁から切り起こされ、前記プリント配線基板にハンダ付けにより固定される固定手段が形成され、前記シールドケース底壁の前記固定手段の対応位置には開口が形成されており、前記開口の上方には、前記絶縁ハウジングから延長する先端支持部を介して、前記コンタクトピンの接触端部が設けられている、構成を採る。
また、本発明のコネクタソケットは、上記構成において、コンタクタを有するコネクタプラグが挿入された場合、そのコンタクタの接触端部の下面が、前記コンタクトピンの接触端部の上面と接触する、構成を採る。
また、本発明のコネクタソケットは、上記構成において、前記シールドケース上壁には、当該シールドケース上壁を切り起し、当該シールドケース内部に突出し、コンタクタを有するコネクタプラグが挿入された場合、そのコネクタプラグの挿入部分を下方へ押す接触片が形成されている、構成を採る。
また、本発明の小型コネクタは、コンタクタを有するコネクタプラグと、前記コネクタプラグが挿入された場合、前記コンタクタと接触するコンタクトピンを金属製のシールドケース内に有するコネクタソケットと、を備え、前記コネクタソケットは、前記コンタクトピンが前記シールドケース内に設けられた絶縁ハウジングにより支持されており、前記シールドケース下面側がプリント配線基板上に搭載され、前記シールドケース下面と、前記コンタクトピンの接触端部との間には、前記絶縁ハウジングから延長する先端支持部が設けられている、構成を採る。
また、本発明のＵＳＢコネクタのコネクタソケットは、絶縁ハウジングにより支持されたコンタクトピンを金属製のシールドケース内に有し、当該シールドケース下面側がプリント配線基板上に搭載されるようにしたＵＳＢコネクタのコネクタソケットであって、前記シールドケース下面と、前記コンタクトピンの接触端部との間には、前記絶縁ハウジングから延長する先端支持部が設けられている、構成を採る。
また、本発明のＵＳＢコネクタのコネクタソケットは、上記構成において、前記コンタクトピンの接触端部の下方となる前記シールドケース底壁には、当該シールドケース底壁から切り起こされ、前記プリント配線基板にハンダ付けにより固定される固定手段が形成され、前記シールドケース底壁の前記固定手段の対応位置には開口が形成されており、前記開口の上方には、前記絶縁ハウジングから延長する先端支持部を介して、前記コンタクトピンの接触端部が設けられている、構成を採る。
【０００８】
【発明の実施の形態】
以下、図１から図４について本発明の実施例の詳細を説明する。
図１及び図２は本発明の小型コネクタを示し、同小型コネクタは、プリント配線基板１の表面に搭載して使用されるコネクタソケット２と、このコネクタソケット２の挿入口２１に挿入できるプラグ部３ａをもつコネクタプラグ３とからなる。
【０００９】
このコネクタソケット２は一端部に前記挿入口２１を形成するように金属板を角筒状に曲げ変形したシールドケース４を備え、このシールドケース４の内部にはシールドケース４の幅方向に整列された４本のコンタクトピン５を支持する樹脂成形の絶縁ハウジング６が位置してある。
即ち、この絶縁ハウジング６は前記シールドケース４の右端部からシールドケース４に組み込まれるもので、シールドケース４の内部断面積と略同じ断面寸法とされた基部６ａを有し、この基部６ａの左側にはシールドケース４の内部で片持ち的に延長する梁状の先端支持部６ｃが一体的に成形してある。
【００１０】
また、前記絶縁ハウジング６の内部には、前記シールドケース４の幅方向に整列した平行な４本の取付溝２２がシールドケース４の長さ方向に形成され、これらの取付溝２２中にはバネ性のある金属製のコンタクトピン５がそれぞれ位置される。つまり、これらのコンタクトピン５の中間部は対応取付溝２２中に固定されるが、その”Ｌ”字状に曲げ加工された外部接続端５ａは前記シールドケース４の右端部から外部へ導出され、コネクタソケット２が搭載されるプリント配線基板１の導体層にハンダ付けされる。
各コンタクトピン５の湾曲された接触端部５ｂは上方を開放された前記取付溝２２から前記先端支持部６ｃの上面に露呈されるが、これらの接触端部５ｂの先端は先端支持部６ｃの先端部に一体成形する係止部６ｄに係合され、この係合により対応取付溝２２からの接触端部５ｂの自由な飛び出しが規制される。
【００１１】
一方、絶縁樹脂の外部被覆で覆われるコネクタプラグ３は前記挿入口２１に挿入できるプラグ部３ａを備えるけれども、このプラグ部３ａは前記コネクタソケット２のシールドケース４の内のり寸法に対応した外形寸法とされるシールドケース７のプラグ部シールド７ａを有している。即ち、このプラグ部シールド７ａは、前述したシールドケース４の場合と同様に、金属板を角筒状に曲げ変形して構成され、このプラグ部シールド７ａの内部には前記コンタクトピン５に対応関係におかれた４本のコンタクタ１０を支持する絶縁ハウジング９の先端支持部９ａが位置される。
【００１２】
また、前述したシールドケース４は、その底壁４ａから切り起される一対の固定ウイング２３及び固定脚２４を有し、これらの固定ウイング２３及び固定脚２４がプリント配線基板１の導体にハンダ付けで固定される。即ち、シールドケース４の左右側壁から下方へ突出する固定ウイング２３及び固定脚２４は、その外形に見合った切り起しスロットを底壁４ａに形成することで、同底壁４ａから切り起されるから、同底壁４ａの固定ウイング２３の対応位置には開口２５が形成された状態となる。
【００１３】
つまり、プラグ部シールド７ａの上壁に沿って伸びる絶縁ハウジング９の先端支持部９ａの下面には各コンタクタ１０の接触端部１０ａが露呈され、同先端支持部９ａの下面とプラグ部シールド７ａの下壁の上面との間には、前述した絶縁ハウジング６の先端支持部６ｂを受け入れる空間２６が形成してある。
したがって、コネクタソケット２の挿入口２１にコネクタプラグ３のプラグ部３ａを挿入すると、絶縁ハウジング６の先端支持部６ｃと絶縁ハウジング９の先端支持部９ａとが近接して上下に対向した状態におかれるから、各コンタクタ１０の接触端部１０ａが対応したコンタクトピン５の接触端部５ｂにそれぞれ接触されることになる。
【００１４】
また、前述したシールドケース７は前記プラグ部シールド７ａに一体的に成形した容量の大きなコード部シールド７ｂを有し、このコード部シールド７ｂの内部には前記先端支持部９ａに連続されるコード接続部９ｂが位置してある。即ち、このコード接続部９ｂには前記各コンタクタ１０のコード接続端１０ｂが位置してあり、これらのコード接続端１０ｂには、コード部シールド７ｂの端部から導入した接続コード２７の芯線２７ａがハンダでそれぞれ固定される。
【００１５】
図示実施例による小型コネクタは、以上のような構造であるから、シールドケース４の内部で露呈状態にあるコンタクトピン５の接触端部５ｂの下方は絶縁ハウジング６の先端支持部６ｃで覆われた状態にある。
このため、コネクタソケット２の固定ウイング２３、固定脚２４、コンタクトピン５の外部接続端５ａをプリント配線基板１の導体にハンダ付けする際、シールドケース４の底壁４ａにある開口２５からシールドケース４の内部にフラックスが侵入しても、同フラックスは絶縁ハウジング６の先端支持部６ｃで遮蔽されるため、コンタクトピン５の接触端部５ｂにフラックスが付着するのを防止できる。
【００１６】
この結果、コンタクトピン５の接触端部５ｂがハンダ処理工程でのフラックスで汚損されることによる、同接触端部５ｂとコネクタプラグ３のコンタクタ１０の接触端部１０ａとの間の接触不良の原因が除去される。
【００１７】
【発明の効果】
以上の説明から明らかなように、本発明によれば、シールドケース下面と、コンタクトピンの接触端部との間には、絶縁ハウジングから延長する先端支持部を設けているため、ハンダ処理時のフラックスによる接触不良を阻止したコネクタソケット、小型コネクタ及びＵＳＢコネクタのコネクタソケットを得ることができる。
【図面の簡単な説明】
【図１】一部を切欠いて示した本発明による小型コネクタの分解斜視図である。
【図２】同小型コネクタの全体断面図である。
【図３】同小型コネクタの図２の３−３線に沿う拡大断面図である。
【図４】同小型コネクタのコネクタソケットの拡大底面図である。
【図５】一部を切欠いて示した従来のＵＳＢコネクタの拡大側面図である。
【符号の説明】
１  プリント配線基板
２  コネクタソケット
３  コネクタプラグ
４  シールドケース
４ａ  底壁
５  コンタクトピン
５ａ  外部接続端
５ｂ  接触端部
６  絶縁ハウジング
６ａ  基部
６ｃ  先端支持部
７  シールドケース
７ａ  プラグ部シールド
７ｂ  コード部シールド
１０  コンタクタ
２２  取付溝
２３  固定ウイング
２４  固定脚
２５  開口